(57)【要約】      （修正有）【課題】ディスプレイを清掃画面に切り替えて清掃しているときのタッチ操作による誤動作を確実に防止すると共に汚れや埃を見え易くして清掃すべき場所の確認を容易にする防災監視装置を提供する。【解決手段】受信機１０の画面清掃制御部４６は、ディスプレイ３６の通常画面に配置された画面清掃釦をタッチ操作したときに、タッチパネルの操作を受け付けない所定の清掃画面の表示に切り替え、所定時間後に清掃画面の表示を解除してタッチパネルの操作を受付け可能とする。画面清掃制御部は、清掃画面の表示を解除するまでの残り時間をダウンカウントにより表示させる。清掃画面に切り替え中に、装置盤面に設けられた音響警報停止スイッチ等の所定のスイッチ操作を検出したときに、清掃画面の表示を強制的に解除して通常画面に戻す。【選択図】図１
2020135251.tif 000002
【特許請求の範囲】
【請求項１】
タッチパネル付きのディスプレイを備えた防災監視装置に於いて
前記防災監視装置に配置された清掃釦を操作したときに、所定の清掃画面の表示に切り替えて前記タッチパネルの操作を受けないようにし、所定時間後に前記清掃画面の表示を解除して前記タッチパネルの操作を受付け可能とする画面清掃制御手段が設けられたことを特徴とする防災監視装置。
【請求項２】
請求項１記載の防災監視装置に於いて、前記画面清掃制御手段は、前記清掃画面の表示を解除するまでの残り時間をダウンカウントにより表示させることを特徴とする防災監視装置。
【請求項３】
タッチパネル付きのディスプレイを備えた防災監視装置に於いて
前記防災監視装置に配置された清掃釦を操作したときに、所定の清掃画面の表示に切り替えて前記タッチパネルの操作を受け付けないようにし、所定時間後に清掃画面の表示を解除し、前記タッチパネルの操作を受付けない状態を他の所定時間継続した後に
前記タッチパネルの操作を受付け可能とする画面清掃制御手段が設けられたことを特徴とする防災監視装置。
【請求項４】
請求項３記載の防災監視装置に於いて、前記画面清掃制御手段は、前記清掃画面の表示を解除してから前記タッチパネルの操作を受付け可能とするまでの残り時間をダウンカウントにより表示させることを特徴とする防災監視装置。
【請求項５】
請求項１又は３記載の防災監視装置に於いて、前記画面清掃制御手段は、前記清掃画面の表示中に、前記ディスプレイ以外の装置盤面に設けられた所定のスイッチ操作を検出したときに、前記清掃画面の表示を解除するとともに前記タッチパネルの操作を受付け可能とすることを特徴とする防災監視装置。
【請求項６】
請求項１又は３記載の防災監視装置に於いて、
前記画面清掃制御手段は、前記清掃画面の表示として、黒を基調とした画面と、白を基調とした画面を、交互に表示することを特徴とする防災監視装置。
【請求項７】
請求項１又は３記載の防災監視装置に於いて、
前記画面清掃制御手段は、前記清掃画面の表示として、黒を基調とした画面と、白を基調とした画面を、選択可能としたことを特徴とする防災監視装置。
【請求項８】
請求項１又は３記載の防災監視装置に於いて、
前記画面清掃制御手段は、前記清掃画面の表示として、光の３原色を基調とした画面を順次切り替え表示することを特徴とする防災監視装置。
【請求項９】
請求項１又は３記載の防災監視装置に於いて、
前記防災監視装置は火災受信機であり、
前記画面清掃制御手段は、前記清掃画面の表示に切り替え中に火災が判断されたとき、前記清掃画面の表示を解除して火災警報画面に切り替えると共に前記タッチパネルの操作を受付け可能とすることを特徴とする防災監視装置。
【発明の詳細な説明】
【技術分野】
【０００１】
本発明は、警戒区域に引き出された信号回線に火災感知器を接続して火災を監視する火災受信機等の防災監視装置に関する。
【背景技術】
【０００２】
従来、火災やガス漏れを監視する防災監視設備の受信機は建物内の防災センターや管理 室などに設置されており、例えば火災感知器や発信機からの火災信号を受信することで、火災代表表示を行うと共に主音響や地区音響装置を鳴動させ、防火戸や防火シャッター等の連動制御を行う。
【０００３】
このため受信機の盤面には、火災やガス漏れを断定して警報停止や連動停止を解除する 断定スイッチ、主音響や地区音響を停止するスイッチ、火災でない場合に受信機を復旧させるスイッチ、更にはタッチパネルの液晶表示部を設けている。
【０００４】
ところで、最近の受信機はマイクロプロセッサ等のコンピュータ回路を制御回路として 設けており、プログラムによって様々な機能を実現することができる。このような受信機の多機能化に伴い、受信機パネルにスイッチを設けるだけでは、多機能化に伴う各種の操作や制御が困難であることから、タッチパネル付きのディスプレイに操作メニューを画面表示し、操作メニューの中のメニュー釦等の操作により、各種の制御操作を行ったり、火災感知器の状態や履歴といった情報を見ることができるようにしている。
【０００５】
受信機に設けられたタッチパネル付きのディスプレイは、運用中に埃やタッチ操作に伴う汚れが付着することから、通常画面の表示状態で担当者がディスプレイの画面清掃を行っているが、画面清掃によりタッチパネルの操作が受付けられて誤動作することを防止するため、通常画面のタッチ操作を受付けない暗転した清掃画面の表示に切り替える機能が設けられている。
【０００６】
例えば、通常画面には清掃釦が配置され、清掃釦をタッチ操作すると暗転した黒を基調とした清掃画面に切り替わり、清掃画面の片隅等の清掃に影響しない画面位置に清掃解除釦が配置され、清掃が済んだら清掃解除釦をタッチ操作すると通常画面の表示に戻るようにしている。
【先行技術文献】
【特許文献】
【０００７】
【特許文献１】特開２００７−２１９８７０号公報
【特許文献２】特開２０１７−１９１４１８号公報
【発明の概要】
【発明が解決しようとする課題】
【０００８】
しかしながら、このような清掃画面に切り替える機能を備えた受信機にあっては、暗転した清掃画面の片隅等に清掃解除釦が配置されているため、画面の清掃中に意図しない画面清掃機能の解除が起きると受信機を誤操作してしまう虞がある。
【０００９】
また、従来の清掃画面は黒一色であるため、埃の附着は見えやすいが、画面の汚れが視認しづらいといった問題もある。
【００１０】
本発明は、ディスプレイを清掃画面に切り替えて清掃しているときのタッチ操作による誤誤動作を確実に防止すると共に汚れや埃を見え易くして清掃すべき場所の確認を容易にする防災監視装置を提供することを目的とする。
【課題を解決するための手段】
【００１１】
（第１発明：防災監視装置）
本発明は、タッチパネル付きのディスプレイを備えた防災監視装置に於いて
防災監視装置に配置された清掃釦を操作したときに、所定の清掃画面の表示に切り替えてタッチパネルの操作を受けないようにし、所定時間後に清掃画面の表示を解除してタッチパネルの操作を受付け可能とする画面清掃制御手段が設けられたことを特徴とする。
【００１２】
（清掃画面の残り時間のダウンカウント表示）
画面清掃制御手段は、清掃画面の表示を解除するまでの残り時間をダウンカウントにより表示させる。
【００１３】
（第２発明：防災監視装置）
本発明の他の形態にあっては、タッチパネル付きのディスプレイを備えた防災監視装置に於いて
防災監視装置に配置された清掃釦を操作したときに、所定の清掃画面の表示に切り替えてタッチパネルの操作を受け付けないようにし、所定時間後に清掃画面の表示を解除し、タッチパネルの操作を受付けない状態を他の所定時間継続した後に
タッチパネルの操作を受付け可能とする画面清掃制御手段が設けられたことを特徴とする。
【００１４】
（操作受付け迄の残り時間のダウンカウント表示）
第２発明における画面清掃制御手段は、清掃画面の表示を解除してからタッチパネルの操作を受付け可能とするまでの残り時間をダウンカウントにより表示させる。
【００１５】
（ハードスイッチによる清掃画面の解除操作）
第１発明または第２発明における防災監視装置に於いて、画面清掃制御手段は、清掃画面の表示中に、ディスプレイ以外の装置盤面に設けられた所定のスイッチ操作を検出したときに、清掃画面の表示を解除するとともにタッチパネルの操作を受付け可能とする。
【００１６】
（黒清掃画面と白清掃画面の交互表示）
第１発明及び第２発明における画面清掃制御手段は、清掃画面の表示として、黒を基調とした画面と、白を基調とした画面を、交互に表示する。
【００１７】
（黒清掃画面と白清掃画面の選択表示）
第１発明及び第２発明における画面清掃制御手段は、清掃画面の表示として、黒を基調とした画面と、白を基調とした画面を、選択可能とする。
【００１８】
（３原色清掃画面の交互表示）
第１発明及び第２発明における画面清掃制御手段は、清掃画面の表示として、光の３原色を基調とした画面を順次切り替え表示する。
【００１９】
（火災判断時の清掃画面解除）
第１発明及び第２発明における防災監視装置は火災受信機であり、
画面清掃制御手段は、清掃画面の表示に切り替え中に火災が判断されたとき、清掃画面の表示を解除して火災警報画面に切り替えると共にタッチパネルの操作を受付け可能とする。
【発明の効果】
【００２０】
（第１発明による防災監視装置の効果）
本発明は、タッチパネル付きのディスプレイを備えた防災監視装置に於いて、防災監視装置に配置された清掃釦を操作したときに、所定の清掃画面の表示に切り替えてタッチパネルの操作を受けないようにし、所定時間後に清掃画面の表示を解除してタッチパネルの操作を受付け可能とする画面清掃制御手段が設けられたため、タッチパネル付きのディスプレイ上に清掃解除釦を設ける必要がなくなる。そのため、清掃画面の表示に切り替えた清掃中にタッチパネルの操作が受付けられることがなく、装置の誤操作を心配することなく、画面の清掃作業を進めることができる。
【００２１】
（清掃画面の残り時間のダウンカウント表示）
また、画面清掃制御手段は、清掃画面の表示を解除するまでの残り時間をダウンカウントにより表示させるようにしたため、清掃画面に切り替えた清掃中に、どの程度、画面清掃を続けられるかが簡単に分かり、画面清掃中に通常画面に突然戻ってしまうような不便さが解消できる。
【００２２】
（第２発明による防災監視装置の効果）
本発明の他の形態にあっては、タッチパネル付きのディスプレイを備えた防災監視装置に於いて  防災監視装置に配置された清掃釦を操作したときに、所定の清掃画面の表示に切り替えてタッチパネルの操作を受け付けないようにし、所定時間後に清掃画面の表示を解除し、タッチパネルの操作を受付けない状態を他の所定時間継続した後に
タッチパネルの操作を受付け可能とする画面清掃制御手段が設けられたため、第１発明の効果に加え、清掃中に意図しない清掃画面の表示の解除が行われても、清掃画面の表示の解除から所定時間のあいだ、タッチパネルの操作が受付けられない余裕時間を持たせることで、作業者が清掃画面の表示の解除に気付いてから清掃作業を中止するまでの際に誤って入力されるタッチパネルの操作が受付けられないため、画面清掃に伴う画面操作の誤りを確実に防止することができる。
【００２３】
（操作受付け迄の残り時間のダウンカウント表示の効果）
また、第２発明における画面清掃制御手段は、清掃画面の表示を解除してからタッチパネルの操作を受付け可能とするまでの残り時間をダウンカウントにより表示させるようにしたため、清掃画面を解除して通常画面に切り替わった状態でタッチパネルの操作が受付け可能となるまでの残り時間を知って通常画面における操作を適切に行うことが可能となる。
【００２４】
（ハードスイッチによる清掃画面の解除操作による効果）
また、第１発明または第２発明における防災監視装置に於いて、画面清掃制御手段は、清掃画面の表示中に、ディスプレイ以外の装置盤面に設けられた所定のスイッチ操作を検出したときに、清掃画面の表示を解除するとともにタッチパネルの操作を受付け可能としたため、画面の清掃が短い時間で済んだような場合、予め設定された清掃時間の経過を待つことなく通常画面に戻すことができ、必要以上に清掃画面に切り替わっている状況を解消できる。
【００２５】
（黒清掃画面と白清掃画面の交互表示による効果）
また、第１発明及び第２発明における画面清掃制御手段は、清掃画面の表示として、黒を基調としたと、白を基調とした画面を、交互に表示するようにしたため、清掃画面として埃が見やすい黒を基調とした画面と汚れが見えやすい白を基調とした画面を表示できるので、清掃すべき場所が分かり易い。
【００２６】
（黒清掃画面と白清掃画面の選択表示）
また、第１発明及び第２発明における画面清掃制御手段は、清掃画面の表示として、黒を基調とした画面と、白を基調とした画面を、選択可能としたため、必要に応じて、埃が見やすい黒を基調とした画面と汚れが見えやすい白を基調とした画面の何れかを選択して画面清掃を効率良く進めることができる。
【００２７】
（３原色清掃画面の表示による効果）
また、第１発明及び第２発明における画面清掃制御手段は、清掃画面の表示として、光の３原色を基調とした画面を順次切り替え表示するようにしたため、清掃画面として、光の３原色として知られた赤画面、緑画面、黄色画面が順次切り替え表示されることで、赤、緑、黄のドット抜け等のディスプレイの表示異常の有無を適切に確認できる。
【００２８】
（火災判断時の清掃画面解除による効果）
また、第１発明及び第２発明における防災監視装置は火災受信機であり、画面清掃制御手段は、清掃画面の表示に切り替え中に火災が判断されたとき、清掃画面の表示を解除して火災警報画面に切り替えると共にタッチパネルの操作を受付け可能としたため、画面清掃中に火災が発生した場合には、強制的に火災警報画面に切り替わり、画面清掃機能が設けられても、火災監視機能が損なわれることがない。
【図面の簡単な説明】
【００２９】
【図１】本発明が適用される火災報知設備の概要を示した説明図
【図２】受信機の外観を正面から示した説明図
【図３】通常監視画面を示した説明図
【図４】清掃画面を示した説明図
【図５】第１実施形態による画面清掃制御を示したフローチャート
【図６】第２実施形態による画面清掃制御を示したフローチャート
【図７】画面清掃機能の解除で切り替えられた通常画面を示した説明図
【図８】第３実施形態による画面清掃制御を示したフローチャート
【発明を実施するための形態】
【００３０】
［火災報知設備］
（実施形態の基本的概念）
図１は本発明が適用される火災報知設備の概要を示した説明図である。本実施形態の基本的概念は、タッチパネル付きのディスプレイ３６を備えた防災監視装置として機能する例えば受信機１０に於いて、ディスプレイ３６の表示画面に配置された清掃釦をタッチ操作したときに、所定の清掃画面の表示に切り替えてタッチパネルの操作を受けないようにし、所定時間後に清掃画面の表示を解除してタッチパネルの操作を受付け可能とする画面清掃制御手段として機能する画面清掃制御部４６が設けられたものであって、清掃画面の表示に切り替えた清掃中にタッチパネルの操作が受付けられることがなく、受信機１０の誤操作を心配することなく、ディスプレイ３６における画面の清掃作業を進めることができる、というものである。
【００３１】
また、画面清掃制御部４６は、清掃画面の表示を解除するまでの残り時間をダウンカウントにより表示させており、清掃画面に切り替えた清掃中に、どの程度、画面清掃を続けられるかが残り時間のダウンカウントから簡単に分かり、画面清掃中に通常画面に突然戻ってしまうような不便さが解消できる。
【００３２】
また、画面清掃制御部４６は、清掃画面に切り替え中に、受信機１０の操作部４０に設けられた所定のスイッチ操作（ハードスイッチの操作）を検出したときに、清掃画面の表示を解除するようにしたものであり、画面の清掃が短い時間で済んだような場合、予め設定された清掃時間の経過を待つことなく通常画面に戻すことができ、必要以上に清掃画面に切り替わっている状況を解消できる。
【００３３】
また、画面清掃制御部４６は、清掃画面の表示として、黒を基調とした埃が分かり易いい画面と、白を基調とした汚れが分かり易い画面を、交互に表示させており、清掃画面として埃が見やすい画面と汚れが見えやすい画面を表示できるので、清掃すべき場所が分かり易く、画面の清掃作業を効率良く進めることができる。以下、具体的に説明する。
【００３４】
（火災報知設備の概要）
図１に示すように、火災報知設備が設置された建物の一階の管理人室などには例えばＲ型の受信機１０が設置され、受信機１０から警戒区域に対し系統毎に分けて信号回線１２−１〜１２−３が引き出されている。なお、以下の説明では、信号回線１２−１〜１２−３を区別する必要がない場合は、信号回線１２という場合がある。
【００３５】
信号回線１２−１には固有のアドレスが設定された伝送機能を有する複数のアナログ火災感知器１４が接続され、また、固有のアドレスが設定された伝送機能を有する中継器１６から引き出された感知器回線１７にオンオフ火災感知器１８及び発信機２０が接続されている。信号回線１２−２には複数のアナログ火災感知器１４の接続に加え、固有のアドレスが設定された伝送機能を有するアドレッサブル発信機２２が接続されている。更に、信号回線１２−３には固有のアドレスが設定された伝送機能を有する中継器１６を介して防排煙機器２４が接続されている。
【００３６】
ここで、信号回線１２−１，１２−２に接続されるアナログ火災感知器１４、中継器１６等の端末機器に設定される最大アドレス数は例えば２５５としており、信号回線１２には最大２５５台のアナログ火災感知器１４を含む端末機器が接続できる。
【００３７】
（受信機の機能構成）
受信機１０には、メインＣＰＵ２６と複数のサブＣＰＵ基板２８−１〜２８−３が設けられ、サブＣＰＵ基板２８−１〜２８−３にはサブＣＰＵ３０−１〜３０−３と伝送部３２−１〜３２−３が設けられている。
【００３８】
メインＣＰＵ２６とサブＣＰＵ３０−１〜３０−３は、シリアル転送バス３４で接続されており、相互にデータを送受信する。なお、以下の説明では、サブＣＰＵ３０−１〜３０−３及び伝送部３２−１〜３２−３を区別する必要がない場合はサブＣＰＵ３０及び伝送部３２という場合がある。
【００３９】
メインＣＰＵ２６には、表示手段として機能する液晶表示パネル等を用いたタッチパネル付きのディスプレイ３６が接続され、ディスプレイ３６には受信機１０による火災監視に必要な情報がそのときの受信機１０の状況に応じて表示される。ディスプレイ３６による火災監視に必要な情報には、通常監視時及び火災時に発生したイベント、運用管理に必要な情報、対処操作に必要な情報等の全ての情報、更に、受信機１０の保守点検モードでの運用管理や操作に必要な情報も含まれる。
【００４０】
メインＣＰＵ２６に対して表示手段として機能するディスプレイ３６に加え、ＬＥＤ等の表示灯を用いた表示部３８が設けられる。表示部３８には火災代表灯、ガス漏れ代表灯等が設けられる。
【００４１】
また、メインＣＰＵ２６に対しては操作部４０が接続され、操作部４０には火災監視に必要な火災断定スイッチ、主音響停止スイッチ、地区音響一時停止スイッチ等の各種スイッチが設けられている。
【００４２】
また、メインＣＰＵ２６にはスピーカが設けられた音響警報部４２、及び、移報部４４が接続されている。音響警報部４２は、火災発生を判断した場合に主音響警報を出力する。メインＣＰＵ２６にはプログラムの実行により制御手段として機能する受信制御部４５が設けられる。
【００４３】
（受信機の外観）
図２は受信機の外観を正面から示した説明図である。受信機１０の盤面には、表示手段として機能する液晶表示パネル等を用いたタッチパネル付きのディスプレイ３６が配置される。ディスプレイ３６はカラー画像を画面表示し、また、タッチパネルが画面に配置されることで、画面タッチ操作による選択や入力を可能としている。なお、表示手段はディスプレイ３６以外にＥＬパネル等の適宜の画像表示パネルが使用できる。
【００４４】
ディスプレイ３６の下側で盤面の左右中央となる利用者にとって見易く且つ操作し易い位置に、ガイドスイッチ４８が配置されている。ガイドスイッチ４８は照光機能を備えた照光スイッチを使用しており、照光スイッチはＬＥＤ等の表示灯を内蔵している。例えば、盤面に配置したガイドスイッチ４８の周囲を囲むリング部分が内側に配置したＬＥＤの作動によりリング状に点灯又は点滅する。
【００４５】
本実施形態では、火災イベントが発生してディスプレイ３６にガイダンス対象となる情報が表示されると、ガイドスイッチ４８の照光機能が有効となって点滅し、利用者にガイドスイッチ４８の操作を促し、ガイドスイッチ４８を操作するとガイダンス対象となる情報が表示される。
【００４６】
また、ディスプレイ３６の下側の盤面には、火災断定スイッチ５０、主音響停止スイッチ５２及び地区音響一時停止スイッチ５４が配置され、火災イベントが発生した場合の火災画面のガイダンス表示と連携した火災対処操作を可能としている。ガイドスイッチ４８の下側の盤面には小扉５５が下側を軸として前開き自在に設けられており、小扉５５の内側には、復旧スイッチを含む各種の操作スイッチが設けられている。
【００４７】
また、火災断定スイッチ５０の外側には電話マイク６４が配置され、ディスプレイ３６の横に設けられた音響孔６２の内部のスピーカとの組み合わせにより、ハンドフリーによる保守電話機能を実現している。
【００４８】
また、ディスプレイ３６の上側の盤面には火災代表灯５８とガス漏れ代表灯６０が設けられている。更に、受信機１０の盤面の下側にはプリンタ５６が配置され、受信機１０で発生したイベントを印字出力するようにしている。
【００４９】
（受信機の火災受信制御）
図１に示すように、サブＣＰＵ基板２８−１のサブＣＰＵ３０−１を例にとると、伝送部３２−１に指示してアナログ火災感知器１４との間で所定の通信プロトコルに従って信号を送受信することで、火災監視制御を行っている。伝送部３２−１からアナログ火災感知器１４に対する下り信号は電圧モードで伝送している。この電圧モードの信号は、信号回線１２−１の線路電圧を例えば１８ボルトと３０ボルトの間で変化させる電圧パルスとして伝送される。
【００５０】
これに対しアナログ火災感知器１４から伝送部３２−１に対する上り信号は電流モードで伝送される。この電流モードにあっては、信号回線１２−１に伝送データのビット１のタイミングで信号電流を流し、いわゆる電流パルス列として上り信号が受信機１０に伝送される。
【００５１】
サブＣＰＵ３０−１による火災監視制御は、通常の監視中にあっては、一定周期毎に、伝送部３２−１に指示して、一括ＡＤ変換コマンドを含むブロードキャストの一括ＡＤ変換信号を送信しており、この一括ＡＤ変換信号を受信したアナログ火災感知器１４は、そのとき検出している煙濃度又は温度をセンサデータとして検出して保持する。続いて、サブＣＰＵ３０−１は、端末アドレスを順次指定したポーリングコマンドを含む呼出信号を送信している。
【００５２】
アナログ火災感知器１４は自己アドレスに一致するアドレスを持つ呼出信号を受信すると、そのとき保持しているセンサデータを含む応答信号を伝送部３２−１に送信する。また、アナログ火災感知器１４は煙濃度又は温度が所定の火災注意レベルを超えると受信機１０の伝送部３２−１に対し火災割込み信号を送信する。
【００５３】
サブＣＰＵ３０−１は伝送部３２−１を介して火災割込み信号を受信すると、グループ検索コマンド信号を送信して火災を検出しているアナログ火災感知器１４を含むグループを特定し、続いて、グループ内検索コマンド信号を送信して火災を検出しているアナログ火災感知器１４のアドレスを特定してセンサのアナログデータを集中的に収集し、シリアル転送バス３４を介してメインＣＰＵ２６に送信する。
【００５４】
メインＣＰＵ２６はサブＣＰＵ３０−１から受信したアナログデータを所定の火災判定レベルと比較しており、アナログデータが火災判定レベルに達した場合に火災と判定し、表示部３８の火災代表灯５８を点灯し、音響警報部４２のスピーカから火災発生を示す所定の主音響警報を出力させ、ディスプレイ３６に火災が検出された感知器アドレスに基づき火災発生場所を含む火災警報情報を表示させ、更に、移報部４４により火災移報信号を外部に出力して所定の移報制御等を行わせる。
【００５５】
サブＣＰＵ基板２８−２に設けられたサブＣＰＵ３０−２と伝送部３２−２による火災監視制御も、前述したサブＣＰＵ基板２８−１の場合と同じになる。また、サブＣＰＵ基板２８−３に設けられたサブＣＰＵ３０−３と伝送部３２−３は、メインＣＰＵ２６で火災が検知された場合に予め記憶された連動情報に基づき防排煙機器２４の連動制御を行う。
【００５６】
また、防排煙機器２４については、中継器１６に対する一括ＡＤ変換信号とポーリングコマンドを含む呼出信号を送信に対する応答信号により、開閉検出器２４ｂの閉鎖検出による閉鎖確認信号の送信を可能としている。
【００５７】
［画面清掃制御の第１実施形態］
（画面清掃制御部）
図３は通常監視画面を示した説明図、図４は清掃画面を示した説明図である。図１に示した受信機１０のメインＣＰＵ２６にはプログラムの実行により実現される画面清掃制御部４６の機能が設けられる。
【００５８】
本実施形態で画面清掃制御部４６は、ディスプレイ３６の通常画面に配置された清掃釦をタッチ操作したときに、画面清掃モードを設定して清掃画面の表示に切り替えてタッチパネルの操作を受けないようにし、１回の画面清掃に必要な所定時間後、例えば１分後に清掃画面の表示を解除してタッチパネルの操作を受付け可能とする制御を行う。
【００５９】
図３はディスプレイ３６に表示される通常画面７０−１の一例であり、「防災設備監視中」の表示７１の下に３つのメニュー釦７３−１〜７３−３が配置され、その左下側に画面清掃釦７２が配置されている。
【００６０】
通常画面７０−１の表示状態でディスプレイ３６の画面上に配置されたタッチパネルによる操作は受付け可能であり、ディスプレイ３６の画面清掃を行う場合には、画面清掃釦７２をタッチ操作すると、画面清掃制御部４６が作動し、通常画面７０−１を図４に示す清掃画面に切り替える。
【００６１】
図４（Ａ）は黒を基調とした黒清掃画面７４−１であり、図４（Ｂ）は白を基調とした白清掃画面であり、画面清掃制御部４６は黒清掃画面７４−１と白清掃画面７４−２を交互に切り替える。
【００６２】
黒清掃画面７４−１は画面に付着した埃が分かり易い画面であり、また、白清掃画面７４−２は画面の汚れが分かり易い画面であり、両者を交互に表示することで、画面の埃と汚れがわかり、清掃すべき場所が見つけ易くなり、効率良く画面を清掃する作業を行うことが可能となる。画面清掃制御部４６による黒清掃画面７４−１と白清掃画面７４−２の切り替え周期は、埃又は汚れを見つけて清掃する作業を必要とすることから例えば１０〜２０秒の時間とする。
【００６３】
また、画面清掃制御部４６は、黒清掃画面７４−１と白清掃画面７４−２の切り替え表示している間、タッチパネルの操作を受付けないようにしており、このため担当者が画面清掃に伴い画面に触れても受信機１０の誤操作が行われることはない。
【００６４】
画面清掃制御部４６は交互に黒清掃画面７４−１と白清掃画面７４−２を表示する場合、画面中に「画面清掃モード中」の表示７６の下に、清掃画面の表示を解除するまでの残り時間を示すダウンカウント表示部７８として「残り２０秒でメニューに戻ります」を表示しており、時間の経過に伴いダウンカウント表示部７８の中の「○○秒」の数字が１秒単位で減少し、清掃画面を表示している残り時間が分かるようにしている。
【００６５】
このため画面清掃をしている担当者は、清掃画面に切り替えた清掃中に、どの程度、画面清掃を続けられるかが簡単に分かり、画面清掃中に通常画面に突然戻ってしまうような不便さが解消できる。
【００６６】
また、画面清掃制御部４６は、図４に示した黒清掃画面７４−１と白清掃画面７４−２の切り替え表示中に、図２に示した受信機１０の盤面に設けられた所定のスイッチ、例えば主音響停止スイッチ５２の操作を検出したとき、清掃画面の表示を解除して図３の通常画面７０−１に戻す制御を行う。このため、画面の清掃が短い時間で済んだような場合、担当者は、予め設定された清掃時間の経過を待つことなく、主音響停止スイッチ５２を操作することで通常画面７０−１に戻すことができ、必要以上に清掃画面に切り替わっている状況を解消できる。
【００６７】
また、主音響停止スイッチ５２を清掃画面の表示解除スイッチとしているが、ディスプレイ以外の装置盤面に設けられたスイッチであれば、適宜のスイッチを採用してよい。また、清掃画面の表示解除専用のスイッチを設けても良いし、複数のスイッチを同時押しすることで清掃画面の表示解除操作としても良い。
【００６８】
（画面清掃制御部の制御動作）
図５は第１実施形態による画面清掃制御を示したフローチャートであり、図１に示した画面清掃制御部４６による制御動作となる。
【００６９】
図５に示すように、画面清掃制御部４６はステップＳ１で通常画面に配置された画面清掃釦７２のタッチ操作を判別するとステップＳ２に進み、タッチパネルの操作受付を抑止し、続いてステップＳ３に進んで黒清掃画面７４−１を表示し、所定の表示周期でステップＳ４に進んで白清掃画面７４−２を表示し、ステップＳ５で所定時間の経過を判別するまでステップＳ３の黒清掃画面７４−１と白清掃画面７４−２の表示を交互に繰り返す。
【００７０】
また、ステップＳ３〜Ｓ５を繰り返すとき、画面清掃制御部４６はステップＳ６で受信機１０の盤面に設けられた所定のハードスイッチとして例えば主音響停止スイッチ５２の操作の有無を判別している。
【００７１】
画面清掃制御部４６はステップＳ５で所定時間の経過を判別するとステップＳ７に進み、清掃画面の表示を解除して通常画面７０−１の表示に切り替え、続いてステップＳ８でタッチパネルの操作受付の抑止を解除する。
【００７２】
一方、画面清掃制御部４６は、ステップＳ３〜Ｓ５により清掃画面を表示しているときにステップＳ６で受信機１０の盤面に設けられた主音響停止スイッチ５２の操作を判別すると、ステップＳ７に進んで清掃画面の表示を解除して通常画面７０−１の表示に切り替え、続いてステップＳ８でタッチパネルの操作受付の抑止を解除する。
【００７３】
［画面清掃制御の第２実施形態］
図１の受信機１０に設けられた画面清掃制御部４６の第２実施形態にあっては、清掃画面の表示として、図４（Ａ）に示した黒を基調とした埃が分かり易い黒清掃画面７４−１と、図４（Ｂ）に示した白を基調とした汚れが分かり易い白清掃画面７４−２との何れか一方を選択する機能を備えたことを特徴とする。
【００７４】
画面清掃制御部４６は、例えば、図３の通常画面７０−１に設けられた画面清掃釦７２を長押しした場合に画面選択用のダイヤログを開き、黒清掃画面７４−１又は白清掃画面７４−２を必要に応じて選択設定できるようにしている。
【００７５】
図６は第２実施形態による画面清掃制御を示したフローチャートであり、図１に示した画面清掃制御部４６による制御動作となる。
【００７６】
図６に示すように、画面清掃制御部４６はステップＳ１１で清掃画面として黒清掃画面７４−１又は白清掃画面７４−２を選択して設定しており、続いてステップＳ１２で通常画面７０−１に配置された画面清掃釦７２のタッチ操作を判別するとステップＳ１３に進み、タッチパネルの操作受付を抑止し、続いてステップＳ１４に進み、ステップＳ１１で選択した黒清掃画面７４−１又は白清掃画面７４−２を表示し、ステップＳ１５で所定時間の経過を判別するまで黒清掃画面７４−１又は白清掃画面７４−２を表示する。
【００７７】
画面清掃制御部４６はステップＳ１５で所定時間の経過を判別するとステップＳ１７に進み、清掃画面の表示を解除して通常画面７２の表示に切り替え、続いてステップＳ１８でタッチパネルの操作受付の抑止を解除する。
【００７８】
一方、画面清掃制御部４６は、ステップＳ１４，Ｓ１５により清掃画面を表示しているときにステップＳ１６で受信機１０の盤面に設けられた主音響停止スイッチ５２の操作を判別すると、ステップＳ１７に進んで清掃画面の表示を解除して通常画面７２の表示に切り替え、続いてステップＳ１８でタッチパネルの操作受付の抑止を解除する。
【００７９】
本実施形態によれば、必要に応じて、埃が見やすい黒清掃画面７４−１と汚れが見えやすい白清掃画面７４−２の何れかを選択して画面清掃を効率良く進めることができる。
【００８０】
［画面清掃制御の第３実施形態］
図１の受信機１０に設けられた画面清掃制御部４６の第３実施形態にあっては、前述した第１実施形態と同様に、図３に示したディスプレイ３６の通常画面７０−１に配置された画面清掃釦７２をタッチ操作したときに、タッチパネルの操作を受け付けないようにすると共に、図４に示した黒清掃画面７４−１と白清掃画面７４−２を交互に切り替え表示し、所定時間後に清掃画面の表示を解除して通常画面７２に戻すものであるが、これに加え、本実施形態にあっては、通常画面に戻しても、所定時間のあいだはタッチパネルの操作を受付けないようにし、通常画面に戻してから所定時間が経過したときにタッチパネルの操作を受付け可能とする制御を行う。
【００８１】
図７は画面清掃機能の解除で切り替えられた通常画面を示した説明図である。本実施形態で、清掃画面の表示を解除して図７に示す通常画面７０−２に戻した場合、所定時間、例えば１０秒間、タッチパネルの操作を受付けないことから、タッチパネル受付開始までの残り時間を示すダウンカウント表示部８０として、例えば「残り１０秒でタッチ操作を受付けます」を表示し、時間の経過に伴いダウンカウント表示部８０の中の「○○秒」の数字が１秒単位で減少し、タッチ操作を受付けるまでの残り時間が分かるようにしている。
【００８２】
図８は第３実施形態による画面清掃制御を示したフローチャートであり、ステップＳ２１〜Ｓ２７は図５の第１実施形態のステップＳ１〜Ｓ７と同じになるが、画面清掃制御部４６は、ステップＳ２７で通常画面７０−２の表示に戻した後に、ステップＳ２８で所定時間の経過を判別するまでは、ステップＳ２９でタッチ操作受付までの残り時間のダウンカウント表示を通常画面７０−２で行い、ステップＳ２８で所定時間の経過を判別するとステップＳ２８でタッチパネルの操作受付の抑止を解除する。
【００８３】
本実施形態によれば、清掃中に例えば時間経過により画面清掃機能の解除が行われても、画面清掃機能の解除から所定時間のあいだ、タッチパネルの操作が受付けられない余裕時間を持たせることで、作業者が清掃画面の表示の解除に気付いてから清掃作業を中止するまでの際に誤って入力されるタッチパネルの操作が受付けられないため、画面清掃に伴う画面操作の誤りを確実に防止することができる。
【００８４】
なお、図６のフローチャートに示した第２実施形態についても、ステップＳ１７，Ｓ１８のあいだに図８のステップＳ２８，Ｓ２９の処理を加えることで、画面清掃機能の解除から所定時間のあいだ、タッチパネルの操作が受付けられない余裕時間を持たせることができる。
【００８５】
［画面清掃制御の第４実施形態］
図１の受信機１０に設けられた画面清掃制御部４６の第４実施形態にあっては、清掃画面として、光の３原色として知られた赤、緑、黄に対応して赤清掃画面、緑清掃画面、黄清掃画面を順次切り替え表示する制御を行う。このような赤清掃画面、緑清掃画面、黄清掃画面の切り替え表示の繰り返しにより、埃や汚れを見つけ易くすると共に、赤、緑、黄のドット抜け等のディスプレイ３６の表示異常の有無を確認することができる。
【００８６】
［火災判断時の清掃画面解除］
前述した画面清掃制御部４６の第１乃至第４実施形態にあっては、清掃画面の表示中に、受信機１０の受信制御部４５でアナログ火災感知器１４からの火災信号により火災を判断して火災警報動作を行ったとき、清掃画面の表示を解除して火災警報画面に切り替えると共にタッチパネルの操作を受付け可能とする制御行う。このため、画面清掃中に火災が発生した場合には、強制的に火災警報画面に切り替わり、画面清掃機能が設けられても、火災監視機能が損なわれることはない。
【００８７】
［本発明の変形例］
上記の実施形態は、各清掃画面を自動で切り替える、または清掃開始時に初期設定するものとしているが、操作により各清掃画面を切り替え可能としても良い。例えば、清掃画面の表示解除スイッチとして機能する主音響停止スイッチ５２と別のスイッチ、例えば地区音響一時停止スイッチ５４を清掃画面切り替えスイッチとして機能させる。また、ディスプレイの隅に清掃画面切り替え釦を配置し、長押し等の特殊な操作がされることで清掃画面を切り替えるようにしても良い。
【００８８】
清掃画面の表示の解除操作部は防災監視装置の誤操作につながるためディスプレイ外に設けることが好適だが、清掃画面切り替えは行われたとしてもディスプレイへの操作受け受けは行わないため、清掃画面切り替えに関する操作はディスプレイにより行うようにしても良い。
【００８９】
清掃画面は清掃やドット抜け等を見つけるために黒清掃画面、白清掃画面、赤清掃画面、緑清掃画面、黄清掃画面が好適だが、これに限らない。例えば、通常の画面表示を暗く表示しながら、ディスプレイへの操作受け受けは行わないような通常監視を継続した清掃画面としても良い。この場合、防災監視装置が障害等を検出したときなどに画面上で気付くことが可能となり、清掃を中断、終了して対応することが可能となる。
【００９０】
各清掃画面の切り替え時や清掃画面への切り替えと清掃画面の解除時に、画面がすぐに切り替わるのでなくフェードインやフェードアウトを行うようにしても良い。
【００９１】
清掃画面となるタッチパネル付きのディスプレイ装置の他に表示部を設け、清掃画面となるタッチパネル付きのディスプレイ装置では清掃画面の残り時間の表示を行わず、他に表示部で清掃画面の残り時間の表示を行うようにしても良い。
【００９２】
（防災監視装置）
上記の実施形態は、防災監視装置として受信機を例にとるものであったが、これに限定されず、タッチパネル付きのディスプレイ装置を備えた防災監視盤や防災制御盤等の適宜の防災監視装置につき同様に適用することができる。例えば、消火用の制御盤であったり、総合表示盤であったり、セキュリティ機器のディスプレイ装置等にも適用可能である。また上記の実施形態はＲ型受信機を例にとるが、タッチパネル付きのディスプレイを備えたＰ型受信機についても同様に適用できる。
【００９３】
（その他）
また、本発明はその目的と利点を損なうことのない適宜の変形を含み、更に上記の実施形態に示した数値による限定は受けない。
【符号の説明】
【００９４】
１０：受信機
１２，１２−１〜１２−３：信号回線
１４：アナログ火災感知器
１６：中継器
１７：感知器回線
１８：オンオフ火災感知器
２０：発信機
２２：アドレッサブル発信機
２４：防排煙機器
２４ａ：ソレノイド
２４ｂ：閉鎖検出器
２４ｃ：駆動回路部
２６：メインＣＰＵ
２８−１〜２８−３：サブＣＰＵ基板
３０−１〜３０−３：サブＣＰＵ
３２−１〜３２−３：伝送部
３４：シリアル転送バス
３６：ディスプレイ
３８：表示部
４０：操作部
４２：音響警報部
４４：移報部
４５：受信制御部
４６：画面清掃制御部
４８：ガイドスイッチ
５０：火災断定スイッチ
５２：主音響停止スイッチ
５４：地区音響一時停止スイッチ
５６：プリンタ
５８：火災代表灯
６０：ガス漏れ代表灯
６２：音響孔
６４：電話マイク
７０−１，７０−２：通常画面
７２：画面清掃釦
７４−１：黒清掃画面
７４−２：白清掃画面
７８，８０：ダウンカウント表示部
【図１】
2020135251.tif 000003
【図２】
2020135251.tif 000004
【図３】
2020135251.tif 000005
【図４】
2020135251.tif 000006
【図５】
2020135251.tif 000007
【図６】
2020135251.tif 000008
【図７】
2020135251.tif 000009
【図８】
2020135251.tif 000010